(57)【要約】【課題】ソケットとベースとの嵌合作業性に優れたコネクタを提供する。【解決手段】最初に、ソケット３をベース２の上方に位置させる（ａ）。次に、ソケット３の後端がベース後方凸部２３０よりも前方に位置するようにソケット３を部分的に上方からソケット収容室２２０内に挿入する（ｂ）。続いて、後方下突起３２０ｂがベース後方凸部２３０の下方に位置するまでソケット３を後方へと移動させる（ｃ）。その後、ソケット３の前端が下方へ移動するようにソケット３が変位すると、ソケット３がソケット収容室２２０内に収容されると共に、ソケットコンタクトとベースコンタクトとが電気的に接続される（ｄ）。【選択図】図６
2015011806.tif 000002
【特許請求の範囲】
【請求項１】
基板に実装される絶縁材からなるベースハウジング、及び、前記ベースハウジングに取り付けられたベースコンタクトを含むベースと、絶縁材からなるソケットハウジング、及び、前記ソケットハウジングに取り付けられたソケットコンタクトを含むソケットとを備えたコネクタであって、
前記ソケットハウジングは、一方向に延在する互いに平行な２つのソケット側壁を有すると共に、前記ソケットコンタクトに接続された電線が前記ソケットハウジングの後端から前記一方向に引き出されるように電線を保持することが可能であり、
前記ベースハウジングは、前記基板に対して直交し且つ前記一方向に延在する互いに平行な２つのベース側壁を有し、前記２つのベース側壁の間には、後方及び前記基板から離れる方向である上方に向かって開口した、前記ソケットを収容するためのソケット収容室が形成されており、
前記ソケットハウジングの前記２つのソケット側壁には、それぞれ、第１突起が形成されており、前記２つのベース側壁間の距離が、前記第１突起の先端間距離以上であり、
前記２つのベース側壁の内側面にはそれぞれ第１係合凸部が形成されており、前記第１係合凸部の先端間距離が前記第１突起の先端間距離よりも小さく且つ前記２つのソケット側壁間の距離以上であり、
前記ソケットの後端が前記第１係合凸部よりも前方に位置するように上方から前記ソケット収容室内に挿入された前記ソケットが、前記基板に対して傾斜して前記ソケット収容室内に部分的に収容された状態で、前記第１突起が前記第１係合凸部の下方に位置するまで前記ソケットを後方へと移動させてから、前記ソケットの前端が下方へ移動するように前記ソケットを変位させることによって、前記ソケットが前記ソケット収容室内に収容されると共に、前記ソケットコンタクトと前記ベースコンタクトとが電気的に接続されるように構成されたことを特徴とするコネクタ。
【請求項２】
前記２つのソケット側壁には、前記基板に対して傾斜して前記ソケット収容室内に部分的に収容された状態の前記ソケットを前記第１突起が前記第１係合凸部の下方に位置するまで後方へと移動させたときに、前記ベース側壁の前方を向いた面に当接する当接面がそれぞれ設けられていることを特徴とする請求項１に記載のコネクタ。
【請求項３】
前記２つのソケット側壁には、それぞれ、前記第１突起よりも前方にある第２突起が形成されていると共に、前記２つのベース側壁の前記内側面には、それぞれ、前記第１係合凸部よりも前方に第２係合凸部が形成されており、
前記ソケットの前端が下方へ移動するように前記ソケットを変位させたときに、前記第２突起が前記第２係合凸部を乗り越え、前記ソケットが前記ソケット収容室内に収容された状態において前記第２突起が前記第２係合凸部の下方に位置するように構成されたことを特徴とする請求項１又は２に記載のコネクタ。
【請求項４】
前記２つのベース側壁の前記内側面は、前記第１係合凸部が形成された後方領域と、前記第２係合凸部が形成され且つ前記後方領域よりも後退した前方領域とを含んでおり、
前記２つのソケット側壁には前記第１突起よりも前方にそれぞれ隆起部が設けられており、前記第２突起は、前記隆起部の前記ベース側壁に対向した面に形成されており、前記隆起部の後方を向いた面には第３突起が形成されており、
前記後方領域の前方端に設けられた前方を向いた面には、第３係合凸部が形成されており、
前記ソケットの前端が下方へ移動するように前記ソケットを変位させたときに、前記第３突起が前記第３係合凸部を乗り越え、前記ソケットが前記ソケット収容室内に収容された状態において前記第３突起が前記第３係合凸部の下方に位置するように構成されたことを特徴とする請求項３に記載のコネクタ。
【請求項５】
前記２つのベース側壁には、前記ベースを前記基板に実装するための補強金具がそれぞれ取り付けられており、
前記第１突起が前記第１係合凸部と当接する範囲である係合範囲が、前後方向に関して、前記補強金具の基板対向範囲と少なくとも一部において重複していることを特徴とする請求項１〜４のいずれか１項に記載のコネクタ。
【発明の詳細な説明】
【技術分野】
【０００１】
本発明は、基板に実装されるベースと電線を保持するソケットとを含むコネクタに関する。
【背景技術】
【０００２】
特許文献１には、第１コネクタ（ベース）と第２コネクタ（ソケット）とからなり、ロックのためにスライダを必要とせず部品点数が少ないコネクタが開示されている。特許文献１のコネクタにおいて、第１コネクタと第２コネクタとを嵌合させるには、まず、第２コネクタの側面に設けられた凸部を第１コネクタの側壁に設けられた連通溝に嵌めた状態で第２コネクタを厚さ方向（下方）へと移動させて両コネクタの第１の嵌合を行わせせる。その後に、第２コネクタを奥行き方向手前に移動させることによって、凸部が第１コネクタの側壁に設けられた凹部に沿って移動して第２の嵌合を行わせる。第２の嵌合では、凹部を構成する壁によって第２コネクタの厚さ方向への移動が阻止される。
【先行技術文献】
【特許文献】
【０００３】
【特許文献１】特開２０１３−２６１５９号公報
【発明の概要】
【発明が解決しようとする課題】
【０００４】
特許文献１に記載されたコネクタでは、上述したように、第１の嵌合の作業時と第２の嵌合の作業時で第２コネクタの移動方向が９０°異なるため、嵌合の作業性が優れているとは言い難く、嵌合作業に比較的長い時間を要することになる、及び／又は、嵌合作業ミスが生じやすいといった不利益がある。
【０００５】
本発明の目的は、ソケットとベースとの嵌合作業性に優れたコネクタを提供することである。
【課題を解決するための手段】
【０００６】
本発明に係るコネクタは、基板に実装される絶縁材からなるベースハウジング、及び、前記ベースハウジングに取り付けられたベースコンタクトを含むベースと、絶縁材からなるソケットハウジング、及び、前記ソケットハウジングに取り付けられたソケットコンタクトを含むソケットとを備えたコネクタであって、前記ソケットハウジングは、一方向に延在する互いに平行な２つのソケット側壁を有すると共に、前記ソケットコンタクトに接続された電線が前記ソケットハウジングの後端から前記一方向に引き出されるように電線を保持することが可能であり、前記ベースハウジングは、前記基板に対して直交し且つ前記一方向に延在する互いに平行な２つのベース側壁を有し、前記２つのベース側壁の間には、後方及び前記基板から離れる方向である上方に向かって開口した、前記ソケットを収容するためのソケット収容室が形成されている。前記ソケットハウジングの前記２つのソケット側壁には、それぞれ、第１突起が形成されており、前記２つのベース側壁間の距離が、前記第１突起の先端間距離以上であり、前記２つのベース側壁の内側面にはそれぞれ第１係合凸部が形成されており、前記第１係合凸部の先端間距離が前記第１突起の先端間距離よりも小さく且つ前記２つのソケット側壁間の距離以上である。そして、前記ソケットの後端が前記第１係合凸部よりも前方に位置するように上方から前記ソケット収容室内に挿入された前記ソケットが、前記基板に対して傾斜して前記ソケット収容室内に部分的に収容された状態で、前記第１突起が前記第１係合凸部の下方に位置するまで前記ソケットを後方へと移動させてから、前記ソケットの前端が下方へ移動するように前記ソケットを変位させることによって、前記ソケットが前記ソケット収容室内に収容されると共に、前記ソケットコンタクトと前記ベースコンタクトとが電気的に接続されるように構成されている。
【０００７】
本発明に係るコネクタは、電線を後方へと引っ張ることでソケットがベース側壁にガイドされながら移動した後にソケットの前端を下方へ移動させるだけでベースへのソケット嵌合工程が完了するので、嵌合工程の作業性に優れている。また、嵌合状態においてソケット側壁に設けられた第１突起がベース側壁に形成された第１係合凸部の下方に位置するので、電線が上方に変位した場合であっても、ソケットの嵌合が解除されにくくなって、電線の引き回しに対する強度が向上する。さらに、ソケットを下方に移動させるのに伴って第１突起が第１係合凸部を乗り越えてその下方に位置するのではなく、基板に対して傾斜したソケットを後方へと移動させることで第１突起が第１係合凸部の下方に位置するようにしているので、第１係合凸部の上下方向の厚みを大きくすることができて、電線の引き回しに対する強度がより向上する。
【０００８】
前記２つのソケット側壁には、前記基板に対して傾斜して前記ソケット収容室内に部分的に収容された状態の前記ソケットを前記第１突起が前記第１係合凸部の下方に位置するまで後方へと移動させたときに、前記ベース側壁の前方を向いた面に当接する当接面がそれぞれ設けられていることが好ましい。これによると、当接面がベース側壁の前方を向いた面に当接したときに電線を後方へと引っ張るのを止めてソケットの前端を下方へ移動させればよいので、嵌合工程の作業性がさらに向上する。
【０００９】
前記２つのソケット側壁には、それぞれ、前記第１突起よりも前方にある第２突起が形成されていると共に、前記２つのベース側壁の前記内側面には、それぞれ、前記第１係合凸部よりも前方に第２係合凸部が形成されており、前記ソケットの前端が下方へ移動するように前記ソケットを変位させたときに、前記第２突起が前記第２係合凸部を乗り越え、前記ソケットが前記ソケット収容室内に収容された状態において前記第２突起が前記第２係合凸部の下方に位置するように構成されていることが好ましい。これによると、ソケットの前端付近において２つのソケット側壁の対向方向（左右方向）に関するソケットの嵌合保持力を向上させることができる。
【００１０】
この場合、前記２つのベース側壁の前記内側面は、前記第１係合凸部が形成された後方領域と、前記第２係合凸部が形成され且つ前記後方領域よりも後退した前方領域とを含んでおり、前記２つのソケット側壁には前記第１突起よりも前方にそれぞれ隆起部が設けられており、前記第２突起は、前記隆起部の前記ベース側壁に対向した面に形成されており、前記隆起部の後方を向いた面には第３突起が形成されており、前記後方領域の前方端に設けられた前方を向いた面には、第３係合凸部が形成されており、前記ソケットの前端が下方へ移動するように前記ソケットを変位させたときに、前記第３突起が前記第３係合凸部を乗り越え、前記ソケットが前記ソケット収容室内に収容された状態において前記第３突起が前記第３係合凸部の下方に位置するように構成されていることが好ましい。これによると、ソケットの前端付近において電線引き出し方向に関するソケットの嵌合保持力を向上させることができる。
【００１１】
また、前記２つのベース側壁には、前記ベースを前記基板に実装するための補強金具がそれぞれ取り付けられており、前記第１突起が前記第１係合凸部と当接する範囲である係合範囲が、前後方向に関して、前記補強金具の基板対向範囲と少なくとも一部において重複していることが好ましい。これによると、電線が上方に変位した場合であってもベースハウジングが撓みにくくなるため、補強金具のはんだ固着強度よりも小さい強度で第１係合凸部又は第１突起が変形又は破壊されることを抑制することができ、そしてその結果、ソケットハウジング又はベースハウジングの変形によって電線が抜けやすくなることを抑制することができて、電線の引き回しに対する強度がさらに向上する。
【発明の効果】
【００１２】
本発明に係るコネクタは、嵌合工程の作業性に優れていると共に、優れた嵌合保持力を有している。
【図面の簡単な説明】
【００１３】
【図１】本発明の一実施形態に係るコネクタの斜視図である。
【図２】図１に示すコネクタに含まれるソケットの斜視図及びその部分拡大図である。
【図３】ソケットコンタクト及びこれに接続された電線の斜視図である。
【図４】図１に示すコネクタに含まれるベースの斜視図及びその部分拡大図である。
【図５】ソケット及びベースの分離状態での平面図である。
【図６】ソケットのベースへの嵌合方法を順に示した断面図である。
【図７】ソケット及びベースの嵌合状態での平面図である。
【図８】ソケット及びベースの嵌合状態での断面図である。
【発明を実施するための形態】
【００１４】
以下、本発明の好適な実施形態について、図面を参照しつつ説明する。図１に示すように、本実施形態に係るコネクタ１は、図示しない基板上に配置されるベース２と、ベースと嵌合するソケット３とを有している。ソケット３は、２本の電線４を保持している。ベース２及びソケット３にはそれぞれベースコンタクト２２及びソケットコンタクト３２（図３参照）が２つずつ取り付けられており、嵌合状態においてベースコンタクト２２とソケット３２とが接触して両者が電気的に接続される。また、後述するように、本実施形態に係るコネクタ１にはロック機構が設けられており、嵌合状態において、ソケット３は、ベースに対して６個所でロックされる。
【００１５】
ここで、本実施形態における方向の定義について説明する。すなわち、図１に示すように、基板に対して直交する方向つまり基板からコネクタ１に向かう方向及びその反対方向をそれぞれ上方及び下方とし、ソケット３からの電線４の引き出し方向及びその反対方向をそれぞれ後方及び前方とし、上下方向及び前後方向を基準として右方及び左方が定義される。
【００１６】
次に、ソケット３について、図２及び図３をさらに参照して説明する。ソケット３は、絶縁材からなるソケットハウジング３１と、ソケットハウジング３１に左右方向（幅方向）に並んで取り付けられた２つのソケットコンタクト３２とからなる。ソケットコンタクト３２には、図３に示すように、それぞれ電線４が接続されている。具体的には、ソケットコンタクト３２は、２対のグリップ３２ａ、３２ｂを有しており、電線４の被覆領域及び心線領域のそれぞれにおいてグリップ３２ａ、３２ｂがかしめ加工で電線４に圧着固定されている。そして、２対のグリップ３２ａ、３２ｂよりも前方に、曲げ加工によって接続部３２ｃが形成されている。接続部３２ｃには、前後方向に直交する平面での断面形状が共にほぼＵ字形である一対のＵ字領域３２ｃ１、３２ｃ２が設けられている。各Ｕ字領域３２ｃ１、３２２は、下方に凸となるように形成されている。一対のＵ字領域３２ｃ１、３２ｃ２は、互いに接触しつつ左右方向に並んでいる。後述するように、ベースコンタクト２２が一対のＵ字領域３２ｃ１、３２ｃ２によって弾性的に挟持されることで両者の電気的接続が達成される。
【００１７】
なお、ソケットコンタクト３２は、圧着形以外に、圧接形、ピアシング形などの他の形態で電線を固定するものであってもよい。電線としては、同軸ケーブルなどのシールドケーブル、フレキシブルフラットケーブルなどを用いてもよい。
【００１８】
ソケットハウジング３１内には２本の電線４を保持する電線収容室（図示せず）が形成されている。この電線収容室に保持された２本の電線４は、ソケットハウジング３１の後端に設けられた開口３１ａ、３１ｂから左右方向に並ぶように後方へと引き出される。ソケットハウジング３１の下面から前面にかけては、一対のＵ字領域３２ｃ１、３２ｃ２の間に対応した位置を露出させるスリット（図示せず）が設けられている。
【００１９】
ソケットハウジング３１には、図２（ａ）に示すように、基板に対して直交し且つ前後方向に延在する互いに平行な２つのソケット側壁３１１、３１２が設けられている。２つのソケット側壁３１１、３１２には、それぞれ、側面突起３２０が設けられている。側面突起３２０は、ソケットハウジング３１の上下方向の厚みと同じ長さで上下方向に延びる鉛直突起３２０ａ、鉛直突起３２０ａの下部から後方へと延びる後方下突起（第１突起）３２０ｂ、鉛直突起３２０ａの下部から前方へと延びる前方下突起３２０ｃ、及び、鉛直突起３２０ａの上部から前方下突起３２０ｃと平行に前方へと延びる前方上突起３２０ｄを含む。後方下突起３２０ｂは後方ほど上下方向の厚みが小さくなっており、その上面は後方に向かうにつれて下方に位置するように傾斜している。鉛直突起３２０ａには、ソケット側壁３１１、３１２に直交する後方を向いた面３２１が設けられている。
【００２０】
ソケットハウジング３１の前面上部には、ソケット側壁３１１、３１２の前端よりも前方に突出した前面突起３３０が設けられている。前面突起３３０の下面には、後述するベースハウジング２１の２つの被覆凸部２１５（図４参照）に対応した位置に、嵌合時に被覆凸部２１５をそれぞれ収容する２つの溝３３１、３３２（図１参照）が設けられている。
【００２１】
２つのソケット側壁３１１、３１２には、それぞれ、ソケットハウジング３１の上下方向の厚みと同じ長さで上下方向に延びる隆起部３４０が形成されている。本実施形態において、隆起部３４０は、側面突起３２０の前端付近において、前方下突起３２０ｃと前方上突起３２０ｄとに跨るように設けられている。つまり、隆起部３４０は、後方下突起３２０ｂよりも前方に設けられている。
【００２２】
図２（ｂ）に示すように、隆起部３４０の先端面（ベース側壁２１１、２１２に対向する面）３４０ａの下部には、隆起先端突起（第２突起）３４１が設けられている。また、隆起部３４０の後方側面（後方を向いた面）３４０ｂの下部には、隆起後方突起（第３突起）３４２が設けられている。隆起先端突起３４１及び隆起後方突起３４２の上面及び下面は、いずれもその全域が傾斜面となっている。本実施形態において、隆起先端突起３４１と隆起後方突起３４２は、切れ目無く連続している。
【００２３】
次に、ベース２について、図４及び図５をさらに参照して説明する。図４（ａ）に示すように、ベース２は、基板に実装される絶縁材からなるベースハウジング２１と、ベースハウジング２１に左右方向に並んで取り付けられた２つのベースコンタクト２２とからなる。
【００２４】
ベースハウジング２１は、基板に対して直交し且つ前後方向に延在する互いに平行な２つのベース側壁２１１、２１２と、ベース底壁２１３と、ベース前壁２１４とを有している。ベース底壁２１３は、基板に平行な平板状に形成されており、２つのベース側壁２１１、２１２の下面にそれぞれ結合されている。ベース前壁２１４は、ベース底壁２１３の前端部から上方へと突出するように設けられており、２つのベース側壁２１１、２１２からわずかに離隔している。ベース前壁２１４には、２つのベースコンタクト２２が取り付けられている。２つのベースコンタクト２２は、基板に対して直交する平板状に形成されており、ベース前壁２１４に形成された貫通孔（図示せず）に前方から挿入されることによって、ベース前壁２１４から突出した部分がベース底壁２１３上において後方へと延在している。
【００２５】
ベース前壁２１４には、２つのベースコンタクト２２を上方から被覆する位置に２つの被覆凸部２１５が設けられている。また、ベース側壁２１１、２１２の後端付近には、金属製のＬ字形補強金具２１６がベース側壁２１１、２１２の下端及び後端に開口した図示しないスリットに圧入されることで取り付けられている。ベースハウジング２１に取り付けられた補強金具２１６は、基板とはんだ接合される基板に平行な部分（基板対向範囲）と、前記スリットに圧入された基板に直交する部分とを有している。基板対向範囲は、基板に直交する部分の下端から左右方向外側に向かって延在しており、その先端がベース側壁２１１、２１２よりも外側に位置している。ベース２は、各補強金具２１６の基板対向範囲と、２つのベースコンタクト２２の前端付近との合計４個所においてはんだ接合により基板に実装される。補強金具２１６の基板対向範囲は、その全域にわたって、つまり前後方向及び左右方向の全長にわたって基板とはんだ接合される。補強金具２１６は、前後方向に関して、後述するベース後方凸部２３０と部分的に重複している。
【００２６】
２つのベース側壁２１１、２１２の間であってベース底壁２１３の上方には、後方及び上方に向かって開口した、ソケット３を収容するためのソケット収容室２２０が形成されている。
【００２７】
２つのベース側壁２１１、２１２の内側面２１１１、２１２１の後端付近上部には、それぞれベース後方凸部（第１係合凸部）２３０が形成されている。ベース後方凸部２３０は、ベース側壁２１１、２１２の上下方向に関する高さの約１／２の厚みを有している。ベース後方凸部２３０の下面は水平面となっている。ベース後方凸部２３０の前端面２３０ａは、前後方向と直交する鉛直面となっている。
【００２８】
図５に示すように、２つのベース側壁２１１、２１２の内側面２１１１、２１２１は、それぞれ、ベース後方凸部２３０が形成された後方領域２１１ａ、２１２ａと、後方領域２１１ａ、２１２ａよりも後退した（互いに離れる方向に左右方向へと変位した）前方領域２１１ｂ、２１２ｂとからなる。これによって、後方領域２１１ａ、２１２ａの前端には、基板に直交する前方を向いた面２１１２、２１２２が形成されている。
【００２９】
図１及び図４（ｂ）に示すように、２つのベース側壁２１１、２１２の内側面２１１１、２１２１の前方領域２１１ｂ、２１２ｂには、それぞれベース前方凸部（第２係合凸部）２４０が形成されている。ベース前方凸部２４０は、前方領域２１１ｂ、２１２ｂの前後方向の全長にわたって形成されている。ベース前方凸部２４０の下面は、その全域が傾斜面となっている。ベース前方凸部２４０の上面は、先端に近い一部だけが傾斜面となっている。
【００３０】
図４（ｂ）に示すように、後方領域２１１ａの前端に設けられた基板に直交する前方を向いた面２１１２には、ベース中間凸部（第３係合凸部）２５０が形成されている。同様に、後方領域２１２ａの前端に設けられた基板に対して直交する前方を向いた面２１２２にも、ベース中間凸部（第３係合凸部）２５０が形成されている。ベース中間凸部２５０は、面２１１２、２１２２の左右方向の全長にわたって形成されている。ベース中間凸部２５０の上面及び下面は、いずれもその全域が傾斜面となっている。
【００３１】
ここで、ベース２及びソケット３に関する寸法の大小関係について説明する。図５に示すように、２つのベース後方凸部２３０の先端間距離Ｌ１は、２つの後方下突起３２０ｂの先端間距離Ｌ２よりも小さく且つ２つのソケット側壁３１１、３１２間の距離Ｌ３以上である。また、２つのベース側壁２１１、２１２間の距離Ｌ４が、２つの後方下突起３２０ｂの先端間距離Ｌ２以上である。つまり、これらの距離Ｌ１〜Ｌ４の間には、Ｌ３≦Ｌ１＜Ｌ２≦Ｌ４という関係が成り立っている。なお、Ｌ１≦Ｌ２ではなくＬ１＜Ｌ２であるのはベース後方凸部２３０と後方下突起３２０ｂとを係合させるためである。また、２つの隆起部３４０の先端面間距離Ｌ５は、２つの後方領域２１１ａ、２１２ａ間距離（つまり、２つのベース側壁２１１、２１２間の距離Ｌ４）よりも大きく、２つのベース前方凸部２４０の先端間距離Ｌ７（２つの前方領域２１１ｂ、２１２ｂ間距離Ｌ６よりも小さい）よりも小さい（Ｌ４＜Ｌ５＜Ｌ７＜Ｌ６）。そして、２つのベース前方凸部２４０の先端間距離Ｌ７は、２つの隆起先端突起３４１の先端間距離Ｌ８よりもやや小さい（Ｌ７＜Ｌ８）。
【００３２】
後述するように、嵌合状態では、ベース後方凸部２３０の下方に後方下突起３２０ｂが位置することになる。しかし、上述したように、２つのベース後方凸部２３０の先端間距離Ｌ１が２つの後方下突起３２０ｂの先端間距離Ｌ２よりも小さく且つベース後方凸部２３０の上下方向厚みが大きいため、基板に直交するするように下方へと移動させることだけによってソケット３をソケット収容室２２０内に収容することができない。一方、２つの後方下突起３２０ｂの先端間距離Ｌ２が２つのベース側壁２１１、２１２間の距離Ｌ４以下であり、且つ、２つのベース後方凸部２３０の先端間距離Ｌ１が２つのソケット側壁３１１、３１２間の距離Ｌ３以上であることを利用して、本実施形態のコネクタ１においては、以下のような手順で、ソケット３をソケット収容室２２０内に収容する。
【００３３】
まず、図６（ａ）に示すように、ソケット３をベース２の上方に位置させる。このとき、ソケット３の後端が前端よりも下方に位置するようにソケット３を傾ける。なお、図６（ａ）〜（ｄ）の各図において、ベース２及びソケット３は、図５に示すVI−VI線での断面を描いたものである。
【００３４】
次に、ソケット３を下降させて、図６（ｂ）に示すように、ソケット３の後端がベース後方凸部２３０よりも前方に位置するようにソケット３を部分的に上方からソケット収容室２２０内に挿入する。上述したようにＬ３≦Ｌ１且つＬ２≦Ｌ４という関係があるので、この挿入が可能となっている。このとき、後方下突起３２０ｂは、ベース底壁２１３に接触していると共に、ベース後方凸部２３０よりもやや前方に位置している。操作者は、電線４を保持してソケット３を移動させることができるので、この操作を容易に行うことができる。
【００３５】
続いて、図６（ｃ）に示すように、操作者が電線４を後方へと引っ張ることによって、ソケット３をベース側壁２１１、２１２によってガイドさせつつ、後方下突起３２０ｂがベース後方凸部２３０の下方に位置するまでソケット３を後方へと移動させる。図６（ｃ）に示す状態では図６（ｂ）に示す状態よりもソケット３の基板に対する傾斜角度は小さくなっている。上述したようにＬ１＜Ｌ２という関係があるので、平面視において後方下突起３２０ｂはベース後方凸部２３０によって隠され、両者が上下に重なり合う。
【００３６】
また、このとき、上述したようにＬ４＜Ｌ５＜Ｌ７という関係があるために、隆起部３４０の後方側面３４０ｂが後方領域２１１ａ、２１２ａの前方を向いた面２１１２、２１２２に当接する。したがって、図６（ｃ）に示す状態からさらに電線４を後方に引っ張っても、ソケット３は移動せず、ソケット３はソケット収容室２２０内に収容されない。
【００３７】
さらに、このとき、Ｌ７＜Ｌ８という関係があるために、隆起先端突起３４１がベース前方凸部２４０上にあって、隆起部３４０に設けられた隆起先端突起３４１及び隆起後方突起３４２の傾斜面となった下面が、それぞれ、ベース前方凸部２４０及びベース中間凸部２５０の傾斜面となった上面に接触している。
【００３８】
その後、図６（ｄ）に示すように、操作者がソケット３の前端付近を下方へと押し込むことによって、ソケット３の前端が下方へ移動するようにソケット３が変位する。すると、隆起先端突起３４１及び隆起後方突起３４２が、それぞれ、ベース前方凸部２４０及びベース中間凸部２５０を乗り越える。そして、ソケット３がソケット収容室２２０内に収容されると共に、各ベースコンタクト２２が一対のＵ字領域３２ｃ１、３２ｃ２によって弾性的に挟持されることでソケットコンタクト３２とベースコンタクト２２とが電気的に接続される。
【００３９】
なお、上述したように、２つのベース前方凸部２４０の先端間距離Ｌ７は、２つの隆起先端突起３４１の先端間距離Ｌ８よりもやや小さい（Ｌ７＜Ｌ８）が、上述のように隆起先端突起３４１及び隆起後方突起３４２の下面と、ベース前方凸部２４０及びベース中間凸部２５０の上面とが傾斜面となっていることによって、ソケット３の前端を下方へ移動させる際には、隆起先端突起３４１及び隆起後方突起３４２に押圧されたベース側壁２１１、２１２が外側へと弾性変形するため、隆起先端突起３４１及び隆起後方突起３４２がそれぞれベース前方凸部２４０及びベース中間凸部２５０を乗り越えることが可能となっている。
【００４０】
以上のようにして、ソケット３とベース２との嵌合を達成することができる。このように、本実施形態に係るコネクタ１は、電線４を後方へと引っ張ることでソケット３がベース側壁２１１、２１２にガイドされながら移動した後にソケット３の前端を下方へ移動させるだけでベース２へのソケット３の嵌合工程が完了するので、従来のようにソケット移動方向が９０°異なるということがなく嵌合工程の作業性に優れている。したがって、嵌合作業を比較的短時間で完了させることができ、嵌合作業ミスも生じにくい。しかも、本実施形態では、電線４を後方へと引っ張るのを止めてソケット３の前端を下方へ移動させる開始タイミングを容易に判断することができる。すなわち、隆起部３４０の後方側面３４０ｂが後方領域２１１ａ、２１２ａの前方を向いた面２１１２、２１２２に当接したときに電線４を後方へと引っ張るのを止めてソケット３の前端を下方へ移動させればよいので、嵌合工程の作業性がさらに向上する。
【００４１】
嵌合状態においては、図７及び図８に示すように、ソケット３がソケット収容室２２０内に収容されていると共に、ソケットコンタクト３２とベースコンタクト２２とが電気的に接続されている。なお、図８（ａ）は図７に示すVIIIA−VIIIA線での断面図であり、図８（ｂ）は図７に示すVIIIB−VIIIB線での断面図である。
【００４２】
図６（ｄ）に示すように、嵌合状態においては、ソケット側壁３１１、３１２に設けられた後方下突起３２０ｂがベース側壁２１１、２１２に形成されたベース後方凸部２３０の下方にやや離隔して位置している。したがって、電線４が上方に変位してソケット３の後端が上方へと移動しようとした場合であっても、後方下突起３２０ｂとベース後方凸部２３０とが係合してロック機構として機能するため、ソケット３の嵌合が解除されにくくなって、電線４の引き回しに対する強度が向上する。
【００４３】
また、本実施形態では、ソケット３を下方に移動させるのに伴って後方下突起３２０ｂがベース後方凸部２３０を乗り越えてその下方に位置するのではなく、基板に対して傾斜したソケット３を後方へと移動させることで後方下突起３２０ｂがベース後方凸部２３０の下方に位置するようにしているので、嵌合過程においてベース後方凸部２３０を弾性変形させる必要がない。そのため、ベース後方凸部２３０の上下方向の厚みを大きくすることができるので、嵌合後方下突起３２０ｂが上方へと移動してベース後方凸部２３０に当接したとしてもベース後方凸部２３０が弾性変形しにくく、ソケット３の嵌合が解除されにくい。その結果、電線４の引き回しに対する強度がより向上する。
【００４４】
さらに、図８（ａ）に示すように、嵌合状態ではソケット３の隆起部３４０に形成された隆起先端突起３４１が、ベース側壁２１１、２１２の内側面２１１１、２１２２に形成されたベース前方凸部２４０の下方に位置している。したがって、ソケット３が左右方向に変位することに伴ってソケット３の前端付近が上方へと移動しようとした場合であっても、隆起先端突起３４１とベース前方凸部２４０とが係合してロック機構として機能するため、ソケット３の嵌合が解除されにくい。すなわち、ソケット３の前端付近において２つのソケット側壁３１１、３１２の対向方向（左右方向）に関するソケット３の嵌合保持力が向上する。
【００４５】
同様に、図８（ｂ）に示すように、嵌合状態ではソケット３の隆起部３４０に形成された隆起後方突起３４２が、ベース側壁２１１、２１２の内側面２１１１、２１２２に形成されたベース中間凸部２５０の下方に位置している。したがって、ソケット３が電線４の引き出し方向（前後方向）に変位することに伴ってソケット３の前端付近が上方へと移動しようとした場合であっても、隆起後方突起３４２とベース中間凸部２５０とが係合してロック機構として機能するため、ソケット３の嵌合が解除されにくい。すなわち、ソケット３の前端付近において前後方向に関するソケット３の嵌合保持力が向上する。
【００４６】
上述したように、後方下突起３２０ｂは後方ほど上下方向の厚みが小さくなっており、その上面は後方に向かうにつれて下方に位置するように傾斜している。そして、後方下突起３２０ｂの上面において鉛直突起３２０ａに最も近い領域は水平面となっている。また、ベース後方凸部２３０の下面はその全域が水平面となっている。したがって、図６（ｄ）に示す嵌合状態において電線４が上方へと引き回されてソケット３が上方へと移動したときに、後方下突起３２０ｂの上面の全域がベース後方凸部２３０の下面と当接するのではなく、後方下突起３２０ｂの上面の水平面領域だけがベース後方凸部２３０の下面と当接することで、後方下突起３２０ｂとベース後方凸部２３０とが係合する。そして、両者の係合範囲は、ベース後方凸部２３０の下面の前端から後方へと延びており、係合範囲の前後方向長さは、後方下突起３２０ｂの上面に設けられた水平面の前後方向長さに等しい。
【００４７】
図７において、前後方向に関する補強金具２１６の範囲をＲ１で示し、前後方向に関する後方下突起３２０ｂとベース後方凸部２３０との係合範囲をＲ２で示す。この図から明らかなように、本実施形態では、Ｒ１はＲ２を包含している。すなわち、後方下突起３２０ｂとベース後方凸部２３０との係合範囲が、前後方向に関して、補強金具２１６の範囲に包含されている。そのため、電線４が上方に変位した場合であっても、ソケットハウジング３１と係合したベースハウジング２１が撓みにくくなって、補強金具２１６のはんだ固着強度よりも小さい強度でベース後方凸部２３０又は後方下突起３２０ｂが変形又は破壊されるといった事態を抑制することができる。そして、その結果、ソケットハウジング３１又はベースハウジング２１の変形によって電線４が抜けやすくなるといった事態を抑制することができる。よって、電線４の引き回しに対する強度がさらに向上する。
【００４８】
以上、本発明の好適な一実施形態について説明したが、本発明は上述した実施形態に限られるものではなく、特許請求の範囲に記載した限りにおいて様々な設計変更を上述の実施の形態に施すことが可能である。例えば、ソケット及びベースの形状、コンタクトの形状・数・位置、電線の本数・配列方向、並びに、第１〜第３突起及び第１〜第３係合凸部などの形状・位置は、適宜変更が可能である。例えば、上述した実施形態では、ベース後方凸部２３０の先端及び後方下突起３２０ｂの先端が共に平面であるとしているが、これらの少なくとも一方が平面でなくてもよい。その場合、嵌合状態でベース後方凸部２３０と後方下突起３２０ｂとに上下に重なり合う部分が存在するように、「第１係合凸部の先端間距離が第１突起の先端間距離よりも小さい」という条件は、前後方向に関する位置が同じである少なくとも一部の領域において、第１係合凸部の先端間距離が第１突起の先端間距離よりも小さいということを意味しているものとする。
【００４９】
また、上述した実施形態では、後方下突起３２０ｂがベース後方凸部２３０の下方に位置するまでソケット３を後方へと移動させたときに、隆起部３４０の後方側面３４０ｂが後方領域２１１ａ、２１２ａの前方を向いた面２１１２、２１２２に当接するが、本発明はこれに限定されない。例えば、鉛直突起３２０ａの後方を向いた面３２１がベース後方凸部２３０の前端面２３０ａに当接するようになっていてもよい。代替的には、鉛直突起３２０ａの後方を向いた面３２１及び隆起部３４０の後方側面３４０ｂが、それぞれ、ベース後方凸部２３０の前端面２３０ａ及び後方領域２１１ａ、２１２ａの前方を向いた面２１１２、２１２２に当接するようになっていてもよい。つまり、図６（ｂ）及び図６（ｃ）に示すようにソケット３を後方へと移動させたときに、ベース側壁２１１、２１２の前方を向いた面に当接する当接面が、２つのソケット側壁３１１、３１２にそれぞれ設けられていればよい。或いは、このような当接面が設けられていなくてもよい。
【００５０】
上述した実施形態では、隆起部３４０に隆起先端突起（第２突起）３４１及び隆起後方突起（第３突起）３４２を設けているが、隆起後方突起３４２及びこれに係合するベース中間凸部（第３係合凸部）２５０を省略してもよい。その場合、隆起部３４０を省略し、隆起先端突起３４１をソケット側壁３１１、３１２に設けてもよい。さらに、隆起先端突起３４１及びこれに係合するベース前方凸部（第２係合凸部）２４０を省略してもよい。
【００５１】
上述した実施形態では、ベース側壁２１１、２１２の内側面２１１１、２１２１に、ベース後方凸部（第１係合凸部）２３０が形成された後方領域２１１ａ、２１２ａと前方領域２１１ｂ、２１２ｂとを設けているが、もし隆起部３４０を省略するのであれば、前方領域２１１ｂ、２１２ｂ及び後方領域２１１ａ、２１２ａを設けずベース側壁２１１、２１２の内側面２１１１、２１２１を平面としてもよい。
【００５２】
上述した実施形態では、嵌合状態において後方下突起３２０ｂとベース後方凸部２３０とが上下方向にわずかに離隔しているが、両者が接触していてもよい。また、後方下突起３２０ｂとベース後方凸部２３０との係合範囲が、前後方向に関して、補強金具２１６の範囲と少なくとも一部において重複していれば、電線４の引き回しに対する強度がさらに向上させることができる。ただし、上述した実施形態のように、Ｒ１がＲ２を包含していることが好ましい。
【符号の説明】
【００５３】
１  コネクタ
２  ベース
３  ソケット
４  電線
２１  ベースハウジング
２２  ベースコンタクト
３１  ソケットハウジング
３２  ソケットコンタクト
２１１、２１２  ベース側壁
２１１１、２１２１  内側面
２１１ａ、２１２ａ  後方領域
２１１ｂ、２１２ｂ  前方領域
２１１２、２１２２  面
２１３  ベース底壁
２１４  ベース前壁
２２０  ソケット収容室
２３０  ベース後方凸部（第１係合凸部）
２３０ａ  前端面
２４０  ベース前方凸部（第２係合凸部）
２５０  ベース中間凸部（第３係合凸部）
３１１、３１２  ソケット側壁
３２０  側面突起
３２０ａ  鉛直突起
３２０ｂ  後方下突起（第１突起）
３２０ｃ  前方下突起
３２０ｄ  前方上突起
３２１  面
３３０  前面突起
３４０  隆起部
３４０ａ  先端面
３４１  隆起先端突起（第２突起）
３４０ｂ  後方側面（当接面）
３４２  隆起後方突起（第３突起）
【図１】
2015011806.tif 000003
【図２】
2015011806.tif 000004
【図３】
2015011806.tif 000005
【図４】
2015011806.tif 000006
【図５】
2015011806.tif 000007
【図６】
2015011806.tif 000008
【図７】
2015011806.tif 000009
【図８】
2015011806.tif 000010